(57)【要約】  本願はマルチビームシステムにおいて制御チャネルの検出範囲を決定する方法及び装置を提供し、該方法は、ネットワーク機器が端末装置へ構成情報を送信し、前記構成情報は端末装置が前記構成情報に基づいて目標ダウンリンク期間内に制御チャネル検出を行う必要がある時間領域リソースを決定することに用いられ、前記時間領域リソースが複数の時間領域スケジューリングユニットを含むことを含む。本願の実施例におけるマルチビームシステムにおいて制御チャネルの検出範囲を決定する方法において、端末装置が構成情報に基づいて決定した時間領域リソースにおいて制御チャネル検出を行う必要があるだけであるが、本ビームがないと決定した制御チャネルの時間領域リソース（例えば、他のビーム同期信号又は放送信号の位置する時間領域スケジューリングユニット）について、前記構成情報によって排除することにより、端末がこの部分の時間領域リソースを検出することを避け、それにより端末装置の複雑さと電池の電力消費量を低減することができる。
2020516112.tif 000002
【特許請求の範囲】
【請求項１】
マルチビームシステムにおいて制御チャネルの検出範囲を決定する方法であって、
ネットワーク機器は端末装置へ構成情報を送信し、前記構成情報は端末装置が前記構成情報に基づいて目標ダウンリンク期間内に制御チャネル検出を行う必要がある時間領域リソースを決定することに用いられ、前記時間領域リソースは複数の時間領域スケジューリングユニットを含むことを含むことを特徴とするマルチビームシステムにおいて制御チャネルの検出範囲を決定する方法。
【請求項２】
前記構成情報は前記目標ダウンリンク期間内の第１時間領域リソースを示すことに用いられ、前記第１時間領域リソースは複数の第１サブ時間領域リソースを含み、各第１サブ時間領域リソースには同期信号と放送チャネルが含まれないことを特徴とする請求項１に記載の方法。
【請求項３】
前記目標ダウンリンク期間内において前記第１時間領域リソース以外の時間領域リソースにはいずれも同期信号と放送チャネルが含まれ、
前記ネットワーク機器が端末装置へ構成情報を送信することは、
前記ネットワーク機器が前記端末装置へ前記構成情報を含むシステム情報を送信し、又は、
前記ネットワーク機器が放送チャネルを介して前記端末装置へ前記構成情報を送信することを含むことを特徴とする請求項２に記載の方法。
【請求項４】
前記目標ダウンリンク期間内において前記第１時間領域リソース以外の時間領域リソースのうちの時間領域リソースの一部には同期信号と放送チャネルが含まれず、
前記ネットワーク機器が端末装置へ構成情報を送信することは、
前記ネットワーク機器が前記端末装置へ前記構成情報を含む高位レイヤシグナリングを送信し、又は、
前記ネットワーク機器が前記端末装置へ前記構成情報を含むダウンリンク制御情報ＤＣＩを送信し、又は、
前記ネットワーク機器がダウンリンク制御チャネル又はダウンリンクデータチャネルを介して前記端末装置へ前記構成情報を送信することを含むことを特徴とする請求項２に記載の方法。
【請求項５】
前記複数の第１サブ時間領域リソースが連続するものであり、又は前記複数の第１サブ時間領域リソースのうちの少なくとも２つが連続しないものであることを特徴とする請求項２〜４のいずれか１項に記載の方法。
【請求項６】
前記構成情報は開始位置情報、時間領域長情報及び終了位置情報のうちの少なくとも１つを含み、前記開始位置情報は前記第１時間領域リソース又は各第１サブ時間領域リソースの開始位置を示すことに用いられ、前記時間領域長情報は前記第１時間領域リソース又は各第１サブ時間領域リソースの時間領域長を示すことに用いられ、前記終了位置情報は前記端末装置が前記終了位置情報に基づいて前記第１時間領域リソース又は各第１サブ時間領域リソースの終了位置を決定することに用いられることを特徴とする請求項２〜５のいずれか１項に記載の方法。
【請求項７】
前記終了位置情報はダウンリンクからアップリンクへのスイッチングポイントの時間領域位置を示すことにより前記終了位置を示すことを特徴とする請求項６に記載の方法。
【請求項８】
前記開始位置情報を含めるための情報、前記時間領域長情報を含めるための情報及び前記終了位置情報を含めるための情報のうちの少なくとも２つが異なり、又は、
前記開始位置情報を搬送するためのチャネル、前記時間領域長情報を搬送するためのチャネル及び前記終了位置情報を搬送するためのチャネルのうちの少なくとも２つが異なることを特徴とする請求項６又は７に記載の方法。
【請求項９】
前記構成情報は前記目標ダウンリンク期間内の第２時間領域リソースを示すことに用いられ、前記第２時間領域リソースには同期信号と放送チャネルが含まれることを特徴とする請求項１に記載の方法。
【請求項１０】
前記目標ダウンリンク期間内において前記第２時間領域リソース以外の時間領域リソースにはいずれも同期信号と放送チャネルが含まれないことを特徴とする請求項９に記載の方法。
【請求項１１】
マルチビームシステムにおいて制御チャネルの検出範囲を決定する方法であって、
端末装置はネットワーク機器から送信された構成情報を受信し、前記構成情報は前記端末装置が前記構成情報に基づいて目標ダウンリンク期間内に制御チャネル検出を行う必要がある時間領域リソースを決定することに用いられることと、
前記端末装置は前記構成情報に基づいて目標ダウンリンク期間内に制御チャネル検出を行う必要がある時間領域リソースを決定し、前記時間領域リソースは複数の時間領域スケジューリングユニットを含むことと、を含むことを特徴とするマルチビームシステムにおいて制御チャネルの検出範囲を決定する方法。
【請求項１２】
前記構成情報は前記目標ダウンリンク期間内の第１時間領域リソースを示すことに用いられ、前記第１時間領域リソースは複数の第１サブ時間領域リソースを含み、各第１サブ時間領域リソースには同期信号と放送チャネルが含まれず、
前記端末装置が前記構成情報に基づいて目標ダウンリンク期間内に制御チャネル検出を行う必要がある時間領域リソースを決定することは、
前記端末装置が前記第１時間領域リソースを制御チャネル検出を行う必要がある時間領域リソースとして決定することを含むことを特徴とする請求項１１に記載の方法。
【請求項１３】
前記目標ダウンリンク期間内において前記第１時間領域リソース以外の時間領域リソースにはいずれも同期信号と放送チャネルが含まれ、
前記端末装置がネットワーク機器から送信された構成情報を受信することは、
前記端末装置が前記ネットワーク機器から送信された、前記構成情報を含むシステム情報を受信し、又は、
前記端末装置が前記ネットワーク機器が放送チャネルを介して送信した前記構成情報を受信することを含むことを特徴とする請求項１２に記載の方法。
【請求項１４】
前記目標ダウンリンク期間内において前記第１時間領域リソース以外の時間領域リソースのうちの時間領域リソースの一部には同期信号と放送チャネルが含まれず、
前記端末装置がネットワーク機器から送信された構成情報を受信することは、
前記端末装置が前記ネットワーク機器から送信された、前記構成情報を含む高位レイヤシグナリングを受信し、又は、
前記端末装置が前記ネットワーク機器から送信された、前記構成情報を含むダウンリンク制御情報ＤＣＩを受信し、又は、
前記端末装置が前記ネットワーク機器がダウンリンク制御チャネル又はダウンリンクデータチャネルを介して送信した前記構成情報を受信することを含むことを特徴とする請求項１２に記載の方法。
【請求項１５】
前記複数の第１サブ時間領域リソースが連続するものであり、又は前記複数の第１サブ時間領域リソースのうちの少なくとも２つが連続しないものであることを特徴とする請求項１２〜１４のいずれか１項に記載の方法。
【請求項１６】
前記構成情報は開始位置情報、時間領域長情報及び終了位置情報のうちの少なくとも１つを含み、前記開始位置情報は前記第１時間領域リソース又は各第１サブ時間領域リソースの開始位置を示すことに用いられ、前記時間領域長情報は前記第１時間領域リソース又は各第１サブ時間領域リソースの時間領域長を示すことに用いられ、前記終了位置情報は前記端末装置が前記終了位置情報に基づいて前記第１時間領域リソース又は各第１サブ時間領域リソースの終了位置を決定することに用いられることを特徴とする請求項１２〜１５のいずれか１項に記載の方法。
【請求項１７】
前記終了位置情報はダウンリンクからアップリンクへのスイッチングポイントの時間領域位置を示すことにより前記終了位置を示し、前記方法は、更に、
前記端末装置が前記ダウンリンクからアップリンクへのスイッチングポイントの時間領域位置を前記第１時間領域リソースの終了位置として決定することを含むことを特徴とする請求項１６に記載の方法。
【請求項１８】
前記開始位置情報を含めるための情報、前記時間領域長情報を含めるための情報及び前記終了位置情報を含めるための情報のうちの少なくとも２つが異なり、又は、
前記開始位置情報を搬送するためのチャネル、前記時間領域長情報を搬送するためのチャネル及び前記終了位置情報を搬送するためのチャネルのうちの少なくとも２つが異なることを特徴とする請求項１６又は１７に記載の方法。
【請求項１９】
前記構成情報は前記目標ダウンリンク期間内の第２時間領域リソースを示すことに用いられ、前記第２時間領域リソースには同期信号と放送チャネルが含まれ、
前記端末装置が前記構成情報に基づいて前記目標ダウンリンク期間内に制御チャネル検出を行う必要がある時間領域リソースを決定することは、
前記端末装置が前記目標ダウンリンク期間内において前記第２時間領域リソース以外の時間領域リソースを制御チャネル検出を行う必要がある時間領域リソースとして決定することを含むことを特徴とする請求項１１に記載の方法。
【請求項２０】
前記目標ダウンリンク期間内において前記第２時間領域リソース以外の時間領域リソースにはいずれも同期信号と放送チャネルが含まれないことを特徴とする請求項１９に記載の方法。
【請求項２１】
ネットワーク機器であって、
構成情報を生成し、前記構成情報は端末装置が前記構成情報に基づいて目標ダウンリンク期間内に制御チャネル検出を行う必要がある時間領域リソースを決定することに用いられ、前記時間領域リソースは複数の時間領域スケジューリングユニットを含む処理モジュールと、
端末装置へ前記構成情報を送信するための送受信モジュールと、を備えることを特徴とするネットワーク機器。
【請求項２２】
前記構成情報は前記目標ダウンリンク期間内の第１時間領域リソースを示すことに用いられ、前記第１時間領域リソースは複数の第１サブ時間領域リソースを含み、各第１サブ時間領域リソースには同期信号と放送チャネルが含まれないことを特徴とする請求項２１に記載のネットワーク機器。
【請求項２３】
前記目標ダウンリンク期間内において前記第１時間領域リソース以外の時間領域リソースにはいずれも同期信号と放送チャネルが含まれ、
前記送受信モジュールは、具体的に、
前記端末装置へ前記構成情報を含むシステム情報を送信し、又は、
放送チャネルを介して前記端末装置へ前記構成情報を送信することに用いられることを特徴とする請求項２２に記載のネットワーク機器。
【請求項２４】
前記目標ダウンリンク期間内において前記第１時間領域リソース以外の時間領域リソースのうちの時間領域リソースの一部には同期信号と放送チャネルが含まれず、
前記送受信モジュールは、具体的に、
前記端末装置へ前記構成情報を含む高位レイヤシグナリングを送信し、又は、
前記端末装置へ前記構成情報を含むダウンリンク制御情報ＤＣＩを送信し、又は、
ダウンリンク制御チャネル又はダウンリンクデータチャネルを介して前記端末装置へ前記構成情報を送信することに用いられることを特徴とする請求項２２に記載のネットワーク機器。
【請求項２５】
前記複数の第１サブ時間領域リソースが連続するものであり、又は前記複数の第１サブ時間領域リソースのうちの少なくとも２つが連続しないものであることを特徴とする請求項２２〜２４のいずれか１項に記載のネットワーク機器。
【請求項２６】
前記構成情報は開始位置情報、時間領域長情報及び終了位置情報のうちの少なくとも１つを含み、前記開始位置情報は前記第１時間領域リソース又は各第１サブ時間領域リソースの開始位置を示すことに用いられ、前記時間領域長情報は前記第１時間領域リソース又は各第１サブ時間領域リソースの時間領域長を示すことに用いられ、前記終了位置情報は前記端末装置が前記終了位置情報に基づいて前記第１時間領域リソース又は各第１サブ時間領域リソースの終了位置を決定することに用いられることを特徴とする請求項２２〜２５のいずれか１項に記載のネットワーク機器。
【請求項２７】
前記終了位置情報はダウンリンクからアップリンクへのスイッチングポイントの時間領域位置を示すことにより前記終了位置を示すことを特徴とする請求項２６に記載のネットワーク機器。
【請求項２８】
前記開始位置情報を含めるための情報、前記時間領域長情報を含めるための情報及び前記終了位置情報を含めるための情報のうちの少なくとも２つが異なり、又は、
前記開始位置情報を搬送するためのチャネル、前記時間領域長情報を搬送するためのチャネル及び前記終了位置情報を搬送するためのチャネルのうちの少なくとも２つが異なることを特徴とする請求項２６又は２７に記載のネットワーク機器。
【請求項２９】
前記構成情報は前記目標ダウンリンク期間内の第２時間領域リソースを示すことに用いられ、前記第２時間領域リソースには同期信号と放送チャネルが含まれることを特徴とする請求項２１に記載のネットワーク機器。
【請求項３０】
前記目標ダウンリンク期間内において前記第２時間領域リソース以外の時間領域リソースにはいずれも同期信号と放送チャネルが含まれないことを特徴とする請求項２９に記載のネットワーク機器。
【請求項３１】
端末装置であって、
ネットワーク機器から送信された構成情報を受信し、前記構成情報は前記端末装置が前記構成情報に基づいて目標ダウンリンク期間内に制御チャネル検出を行う必要がある時間領域リソースを決定することに用いられる送受信モジュールと、
前記構成情報に基づいて目標ダウンリンク期間内に制御チャネル検出を行う必要がある時間領域リソースを決定し、前記時間領域リソースは複数の時間領域スケジューリングユニットを含む処理モジュールと、を備えることを特徴とする端末装置。
【請求項３２】
前記構成情報は前記目標ダウンリンク期間内の第１時間領域リソースを示すことに用いられ、前記第１時間領域リソースは複数の第１サブ時間領域リソースを含み、各第１サブ時間領域リソースには同期信号と放送チャネルが含まれず、
前記処理モジュールは、具体的に、
前記第１時間領域リソースを制御チャネル検出を行う必要がある時間領域リソースとして決定することに用いられることを特徴とする請求項３１に記載の端末装置。
【請求項３３】
前記目標ダウンリンク期間内において前記第１時間領域リソース以外の時間領域リソースにはいずれも同期信号と放送チャネルが含まれ、
前記送受信モジュールは、具体的に、
前記ネットワーク機器から送信された、前記構成情報を含むシステム情報を受信し、又は、
前記ネットワーク機器が放送チャネルを介して送信した前記構成情報を受信することに用いられることを特徴とする請求項３２に記載の端末装置。
【請求項３４】
前記目標ダウンリンク期間内において前記第１時間領域リソース以外の時間領域リソースのうちの時間領域リソースの一部には同期信号と放送チャネルが含まれず、
前記送受信モジュールは、具体的に、
前記ネットワーク機器から送信された、前記構成情報を含む高位レイヤシグナリングを受信し、又は、
前記ネットワーク機器から送信された、前記構成情報を含むダウンリンク制御情報ＤＣＩを受信し、又は、
前記ネットワーク機器がダウンリンク制御チャネル又はダウンリンクデータチャネルを介して送信した前記構成情報を受信することに用いられることを特徴とする請求項３２に記載の端末装置。
【請求項３５】
前記複数の第１サブ時間領域リソースが連続するものであり、又は前記複数の第１サブ時間領域リソースのうちの少なくとも２つが連続しないものであることを特徴とする請求項３２〜３４のいずれか１項に記載の端末装置。
【請求項３６】
前記構成情報は開始位置情報、時間領域長情報及び終了位置情報のうちの少なくとも１つを含み、前記開始位置情報は前記第１時間領域リソース又は各第１サブ時間領域リソースの開始位置を示すことに用いられ、前記時間領域長情報は前記第１時間領域リソース又は各第１サブ時間領域リソースの時間領域長を示すことに用いられ、前記終了位置情報は前記端末装置が前記終了位置情報に基づいて前記第１時間領域リソース又は各第１サブ時間領域リソースの終了位置を決定することに用いられることを特徴とする請求項３２〜３５のいずれか１項に記載の端末装置。
【請求項３７】
前記終了位置情報はダウンリンクからアップリンクへのスイッチングポイントの時間領域位置を示すことにより前記終了位置を示し、前記処理モジュールは、更に、
前記ダウンリンクからアップリンクへのスイッチングポイントの時間領域位置を前記第１時間領域リソースの終了位置として決定することに用いられることを特徴とする請求項３６に記載の端末装置。
【請求項３８】
前記開始位置情報を含めるための情報、前記時間領域長情報を含めるための情報及び前記終了位置情報を含めるための情報のうちの少なくとも２つが異なり、又は、
前記開始位置情報を搬送するためのチャネル、前記時間領域長情報を搬送するためのチャネル及び前記終了位置情報を搬送するためのチャネルのうちの少なくとも２つが異なることを特徴とする請求項３６又は３７に記載の端末装置。
【請求項３９】
前記構成情報は前記目標ダウンリンク期間内の第２時間領域リソースを示すことに用いられ、前記第２時間領域リソースには同期信号と放送チャネルが含まれ、
前記処理モジュールは、具体的に、
前記目標ダウンリンク期間内において前記第２時間領域リソース以外の時間領域リソースを制御チャネル検出を行う必要がある時間領域リソースとして決定することに用いられることを特徴とする請求項３１に記載の端末装置。
【請求項４０】
前記目標ダウンリンク期間内において前記第２時間領域リソース以外の時間領域リソースにはいずれも同期信号と放送チャネルが含まれないことを特徴とする請求項３９に記載の端末装置。
【発明の詳細な説明】
【技術分野】
【０００１】
本願の実施例は通信分野に関し、より具体的に、マルチビームシステムにおいて制御チャネルの検出範囲を決定する方法及び装置に関する。
【背景技術】
【０００２】
ロングタームエボリューション（ＬＴＥ、Ｌｏｎｇ  Ｔｅｒｍ  Ｅｖｏｌｕｔｉｏｎ）システムにおいて、ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）の時間領域位置が完全に固定され、各１ｍｓサブフレームの冒頭のいくつかのシンボルに位置し、端末装置がこのいくつかのシンボル内においてブラインド検出を行うと、ＰＤＣＣＨを受信できる。
【０００３】
ところが、将来の通信システム（例えば、５Ｇ、５ｔｈ  Ｇｅｎｅｒａｔｉｏｎ）が高周波帯域（＞６ＧＨｚ）においてマルチビーム（ｍｕｌｔｉ−ｂｅａｍ）技術を導入し、つまり、エネルギーを集中させて、カバレッジを拡大するように、基地局が時分割方式で複数のビーム信号を交替で送信し、各時間単位内にいくつかのみのビームが信号を送信する。従って、１つの時間周期内に複数のＰＤＣＣＨ及び対応する物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）の送信時間帯があり、且つ各ＢｅａｍのＰＤＣＣＨ／ＰＤＳＣＨの開始時間及び持続時間がいずれも柔軟であり、このため、端末装置が時間領域範囲全体の内にＰＤＣＣＨを検出する必要がある。このため、端末装置は複雑さがより大きく、端末装置の電池の電力消費量を増大させてしまう。
【０００４】
これにより、端末装置の複雑さと電池の電力消費量を低減するために、マルチビームシステムにおいて制御チャネルの検出範囲を決定する方法を提供する必要がある。
【発明の概要】
【発明が解決しようとする課題】
【０００５】
本願は端末装置の複雑さと電池の電力消費量を低減することのできるマルチビームシステムにおいて制御チャネルの検出範囲を決定する方法及び装置を提供する。
【課題を解決するための手段】
【０００６】
第１態様では、マルチビームシステムにおいて制御チャネルの検出範囲を決定する方法を提供し、ネットワーク機器は端末装置へ構成情報を送信し、前記構成情報は端末装置が前記構成情報に基づいて目標ダウンリンク期間内に制御チャネル検出を行う必要がある時間領域リソースを決定することに用いられ、前記時間領域リソースは複数の時間領域スケジューリングユニットを含むことを含む。
【０００７】
本願のマルチビームシステムにおいて制御チャネルの検出範囲を決定する方法によれば、ネットワーク機器が端末装置へ構成情報を送信することにより、端末装置は構成情報に基づいて制御チャネル検出を行う必要がある時間領域リソースを決定することができる。これにより、マルチビームシステムにおいて端末装置が構成情報に基づいて決定した時間領域リソースにおいて制御チャネル検出を行う必要があるだけであるが、本ビームがないと決定した制御チャネルの時間領域リソース（例えば、他のビーム同期信号又は放送信号の位置する時間領域スケジューリングユニット）について、前記構成情報によって排除することにより、端末がこの部分の時間領域リソースを検出することを避け、それにより端末装置の複雑さと電池の電力消費量を低減することができる。
【０００８】
第１態様を参照して、第１態様の実現方式では、前記構成情報は前記目標ダウンリンク期間内の第１時間領域リソースを示すことに用いられ、前記第１時間領域リソースは複数の第１サブ時間領域リソースを含み、各第１サブ時間領域リソースには同期信号と放送チャネルが含まれない。
【０００９】
第１態様及びその上記実現方式を参照して、第１態様の他の実現方式では、前記目標ダウンリンク期間内において前記第１時間領域リソース以外の時間領域リソースにはいずれも同期信号と放送チャネルが含まれ、
前記ネットワーク機器が端末装置へ構成情報を送信することは、
前記ネットワーク機器が前記端末装置へ前記構成情報を含むシステム情報を送信し、又は、前記ネットワーク機器が放送チャネルを介して前記端末装置へ前記構成情報を送信することを含む。
【００１０】
第１態様及びその上記実現方式を参照して、第１態様の他の実現方式では、前記目標ダウンリンク期間内において前記第１時間領域リソース以外の時間領域リソースのうちの時間領域リソースの一部には同期信号と放送チャネルが含まれず、
前記ネットワーク機器が端末装置へ構成情報を送信することは、
前記ネットワーク機器が前記端末装置へ前記構成情報を含む高位レイヤシグナリングを送信し、又は、
前記ネットワーク機器が前記端末装置へ前記構成情報を含むダウンリンク制御情報ＤＣＩを送信し、又は、
前記ネットワーク機器がダウンリンク制御チャネル又はダウンリンクデータチャネルを介して前記端末装置へ前記構成情報を送信することを含む。
【００１１】
第１態様及びその上記実現方式を参照して、第１態様の他の実現方式では、前記複数の第１サブ時間領域リソースが連続するものであり、又は前記複数の第１サブ時間領域リソースのうちの少なくとも２つが連続しないものである。
【００１２】
第１態様及びその上記実現方式を参照して、第１態様の他の実現方式では、前記構成情報は開始位置情報、時間領域長情報及び終了位置情報のうちの少なくとも１つを含み、前記開始位置情報は前記第１時間領域リソース又は各第１サブ時間領域リソースの開始位置を示すことに用いられ、前記時間領域長情報は前記第１時間領域リソース又は各第１サブ時間領域リソースの時間領域長を示すことに用いられ、前記終了位置情報は前記端末装置が前記終了位置情報に基づいて前記第１時間領域リソース又は各第１サブ時間領域リソースの終了位置を決定することに用いられる。
【００１３】
第１態様及びその上記実現方式を参照して、第１態様の他の実現方式では、前記終了位置情報はダウンリンクからアップリンクへのスイッチングポイントの時間領域位置を示すことにより前記終了位置を示す。
【００１４】
第１態様及びその上記実現方式を参照して、第１態様の他の実現方式では、前記開始位置情報を含めるための情報、前記時間領域長情報を含めるための情報及び前記終了位置情報を含めるための情報のうちの少なくとも２つが異なり、又は、
前記開始位置情報を搬送するためのチャネル、前記時間領域長情報を搬送するためのチャネル及び前記終了位置情報を搬送するためのチャネルのうちの少なくとも２つが異なる。
【００１５】
第１態様及びその上記実現方式を参照して、第１態様の他の実現方式では、前記構成情報は前記目標ダウンリンク期間内の第２時間領域リソースを示すことに用いられ、前記第２時間領域リソースには同期信号と放送チャネルが含まれる。
【００１６】
第１態様及びその上記実現方式を参照して、第１態様の他の実現方式では、前記目標ダウンリンク期間内において前記第２時間領域リソース以外の時間領域リソースにはいずれも同期信号と放送チャネルが含まれない。
【００１７】
第２態様では、マルチビームシステムにおいて制御チャネルの検出範囲を決定する方法を提供し、端末装置はネットワーク機器から送信された構成情報を受信し、前記構成情報は前記端末装置が前記構成情報に基づいて目標ダウンリンク期間内に制御チャネル検出を行う必要がある時間領域リソースを決定することに用いられることと、前記端末装置は前記構成情報に基づいて目標ダウンリンク期間内に制御チャネル検出を行う必要がある時間領域リソースを決定し、前記時間領域リソースは複数の時間領域スケジューリングユニットを含むことと、を含む。
【００１８】
本願のマルチビームシステムにおいて制御チャネルの検出範囲を決定する方法によれば、端末装置はネットワーク機器から送信された構成情報を受信して、構成情報に基づいて制御チャネル検出を行う必要がある時間領域リソースを決定する。これにより、マルチビームシステムにおいて端末装置が構成情報に基づいて決定した時間領域リソースにおいて制御チャネル検出を行う必要があるだけであるが、本ビームがないと決定した制御チャネルの時間領域リソース（例えば、他のビーム同期信号又は放送信号の位置する時間領域スケジューリングユニット）について、前記構成情報によって排除することにより、端末がこの部分の時間領域リソースを検出することを避け、それにより端末装置の複雑さと電池の電力消費量を低減することができる。
【００１９】
第２態様を参照して、第２態様の実現方式では、前記構成情報は前記目標ダウンリンク期間内の第１時間領域リソースを示すことに用いられ、前記第１時間領域リソースは複数の第１サブ時間領域リソースを含み、各第１サブ時間領域リソースには同期信号と放送チャネルが含まれない。
前記端末装置が前記構成情報に基づいて目標ダウンリンク期間内に制御チャネル検出を行う必要がある時間領域リソースを決定することは、
前記端末装置が前記第１時間領域リソースを制御チャネル検出を行う必要がある時間領域リソースとして決定することを含む。
【００２０】
第２態様及びその上記実現方式を参照して、第２態様の他の実現方式では、前記目標ダウンリンク期間内において前記第１時間領域リソース以外の時間領域リソースにはいずれも同期信号と放送チャネルが含まれ、
前記端末装置がネットワーク機器から送信された構成情報を受信することは、
前記端末装置が前記ネットワーク機器から送信された、前記構成情報を含むシステム情報を受信し、又は、
前記端末装置が前記ネットワーク機器が放送チャネルを介して送信した前記構成情報を受信することを含む。
【００２１】
第２態様及びその上記実現方式を参照して、第２態様の他の実現方式では、前記目標ダウンリンク期間内において前記第１時間領域リソース以外の時間領域リソースのうちの時間領域リソースの一部には同期信号と放送チャネルが含まれず、
前記端末装置がネットワーク機器から送信された構成情報を受信することは、
前記端末装置が前記ネットワーク機器から送信された、前記構成情報を含む高位レイヤシグナリングを受信し、又は、
前記端末装置が前記ネットワーク機器から送信された、前記構成情報を含むダウンリンク制御情報ＤＣＩを受信し、又は、
前記端末装置が前記ネットワーク機器がダウンリンク制御チャネル又はダウンリンクデータチャネルを介して送信した前記構成情報を受信することを含む。
【００２２】
第２態様及びその上記実現方式を参照して、第２態様の他の実現方式では、前記複数の第１サブ時間領域リソースが連続するものであり、又は前記複数の第１サブ時間領域リソースのうちの少なくとも２つが連続しないものである。
【００２３】
第２態様及びその上記実現方式を参照して、第２態様の他の実現方式では、前記構成情報は開始位置情報、時間領域長情報及び終了位置情報のうちの少なくとも１つを含み、前記開始位置情報は前記第１時間領域リソース又は各第１サブ時間領域リソースの開始位置を示すことに用いられ、前記時間領域長情報は前記第１時間領域リソース又は各第１サブ時間領域リソースの時間領域長を示すことに用いられ、前記終了位置情報は前記端末装置が前記終了位置情報に基づいて前記第１時間領域リソース又は各第１サブ時間領域リソースの終了位置を決定することに用いられる。
【００２４】
第２態様及びその上記実現方式を参照して、第２態様の他の実現方式では、前記終了位置情報はダウンリンクからアップリンクへのスイッチングポイントの時間領域位置を示すことにより前記終了位置を示し、前記方法は、更に、
前記端末装置が前記ダウンリンクからアップリンクへのスイッチングポイントの時間領域位置を前記第１時間領域リソースの終了位置として決定することを含む。
【００２５】
第２態様及びその上記実現方式を参照して、第２態様の他の実現方式では、前記開始位置情報を含めるための情報、前記時間領域長情報を含めるための情報及び前記終了位置情報を含めるための情報のうちの少なくとも２つが異なり、又は、
前記開始位置情報を搬送するためのチャネル、前記時間領域長情報を搬送するためのチャネル及び前記終了位置情報を搬送するためのチャネルのうちの少なくとも２つが異なる。
【００２６】
第２態様及びその上記実現方式を参照して、第２態様の他の実現方式では、前記構成情報は前記目標ダウンリンク期間内の第２時間領域リソースを示すことに用いられ、前記第２時間領域リソースには同期信号と放送チャネルが含まれる。
前記端末装置が前記構成情報に基づいて前記目標ダウンリンク期間内に制御チャネル検出を行う必要がある時間領域リソースを決定することは、
前記端末装置が前記目標ダウンリンク期間内において前記第２時間領域リソース以外の時間領域リソースを制御チャネル検出を行う必要がある時間領域リソースとして決定することを含む。
【００２７】
第２態様及びその上記実現方式を参照して、第２態様の他の実現方式では、前記目標ダウンリンク期間内において前記第２時間領域リソース以外の時間領域リソースにはいずれも同期信号と放送チャネルが含まれない。
【００２８】
第３態様では、ネットワーク機器を提供し、上記第１態様又は第１態様の任意の可能な実現方式における方法を実行することに用いられる。具体的に、前記ネットワーク機器は上記第１態様又は第１態様の任意の可能な実現方式における方法を実行するための機能モジュールを備える。
【００２９】
第４態様では、端末装置を提供し、上記第２態様又は第２態様の任意の可能な実現方式における方法を実行することに用いられる。具体的に、前記端末装置は上記第２態様又は第２態様の任意の可能な実現方式における方法を実行するための機能モジュールを備える。
【００３０】
第５態様では、ネットワーク機器を提供し、プロセッサ、メモリ及び送受信機を備える。前記プロセッサ、前記メモリ及び前記送受信機が内部接続通路を介して互いに通信し、制御及び／又はデータ信号を伝達し、それにより前記ネットワーク機器が上記第１態様又は第１態様の任意の可能な実現方式における方法を実行する。
【００３１】
第６態様では、端末装置を提供し、プロセッサ、メモリ及び送受信機を備える。前記プロセッサ、前記メモリ及び前記送受信機が内部接続通路を介して互いに通信し、制御及び／又はデータ信号を伝達し、それにより前記ネットワーク機器が上記第２態様又は第２態様の任意の可能な実現方式における方法を実行する。
【００３２】
第７態様では、コンピュータ可読媒体を提供し、コンピュータプログラムを記憶することに用いられ、前記コンピュータプログラムは上記第１態様又は第１態様の任意の可能な実現方式を実行するための命令を含む。
【００３３】
第８態様では、コンピュータ可読媒体を提供し、コンピュータプログラムを記憶することに用いられ、前記コンピュータプログラムは上記第２態様又は第２態様の任意の可能な実現方式を実行するための命令を含む。
【図面の簡単な説明】
【００３４】
【図１】図１は本願の実施例に係るマルチビームシステムにおいて制御チャネルの検出範囲を決定する方法の模式的なフローチャートである。
【図２】図２は本願の他の実施例に係るマルチビームシステムにおいて制御チャネルの検出範囲を決定する方法の模式図である。
【図３】図３は本願のさらに他の実施例に係るマルチビームシステムにおいて制御チャネルの検出範囲を決定する方法の模式図である。
【図４】図４は本願のさらに他の実施例に係るマルチビームシステムにおいて制御チャネルの検出範囲を決定する方法の模式図である。
【図５】図５は本願のさらに他の実施例に係るマルチビームシステムにおいて制御チャネルの検出範囲を決定する方法の模式図である。
【図６】図６は本願のさらに他の実施例に係るマルチビームシステムにおいて制御チャネルの検出範囲を決定する方法の模式図である。
【図７】図７は本願のさらに他の実施例に係るマルチビームシステムにおいて制御チャネルの検出範囲を決定する方法の模式図である。
【図８】図８は本願のさらに他の実施例に係るマルチビームシステムにおいて制御チャネルの検出範囲を決定する方法の模式図である。
【図９】図９は本願のさらに他の実施例に係るマルチビームシステムにおいて制御チャネルの検出範囲を決定する方法の模式図である。
【図１０】図１０は本願のさらに他の実施例に係るマルチビームシステムにおいて制御チャネルの検出範囲を決定する方法の模式図である。
【図１１】図１１は本願のさらに他の実施例に係るマルチビームシステムにおいて制御チャネルの検出範囲を決定する方法の模式図である。
【図１２】図１２は本願のさらに他の実施例に係るマルチビームシステムにおいて制御チャネルの検出範囲を決定する方法の模式的なフローチャートである。
【図１３】図１３は本願の実施例に係るネットワーク機器の模式的なブロック図である。
【図１４】図１４は本願の実施例に係る端末装置の模式的なブロック図である。
【図１５】図１５は本願の他の実施例に係るネットワーク機器の模式的なブロック図である。
【図１６】図１６は本願の他の実施例に係る端末装置の模式的なブロック図である。
【発明を実施するための形態】
【００３５】
以下、本願の実施例の図面を参照しながら、本願の実施例の技術案を明確且つ完全に説明する。
【００３６】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又はマイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇシステム、又は新無線（ＮＲ、Ｎｅｗ  Ｒａｄｉｏ）システムに適用されてもよいと理解すべきである。
【００３７】
本願の実施例において、端末装置は移動局（ＭＳ、Ｍｏｂｉｌｅ  Ｓｔａｔｉｏｎ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ユーザー装置（ＵＥ、Ｕｓｅｒ  Ｅｑｕｉｐｍｅｎｔ）、ハンドセット（ｈａｎｄｓｅｔ）及び携帯装置（ｐｏｒｔａｂｌｅ  ｅｑｕｉｐｍｅｎｔ）、車両（ｖｅｈｉｃｌｅ）等を含んでもよいが、それらに限らず、該端末装置は無線アクセスネットワーク（ＲＡＮ、Ｒａｄｉｏ  Ａｃｃｅｓｓ  Ｎｅｔｗｏｒｋ）経由で１つ又は複数のコアネットワークと通信することができ、例えば、端末装置は携帯電話（「セルラー方式」携帯電話とも称される）、無線通信機能を有するコンピュータ等であってもよいし、携帯式、ポケットサイズ、手持ち式、コンピュータが内蔵された又は車載のモバイルデバイスであってもよい。
【００３８】
本願の実施例に関わるネットワーク機器は無線アクセスネットワークに配置される端末装置に無線通信機能を提供するための装置である。前記ネットワーク機器は基地局であってもよく、前記基地局は様々なタイプのマクロ基地局、マイクロ基地局、中継局、アクセスポイント等を含んでもよい。様々な無線アクセス技術を用いたシステムにおいて、基地局機能を有する装置の名称が異なる可能性がある。例えば、ＬＴＥネットワークにおいて、進化型ノードＢ（ｅＮＢ又はｅＮｏｄｅＢ、Ｅｖｏｌｖｅｄ  ＮｏｄｅＢ）と称され、第３世代（３Ｇ、３ｒｄ  Ｇｅｎｅｒａｔｉｏｎ）ネットワークにおいて、ノードＢ（Ｎｏｄｅ  Ｂ）等と称される。
【００３９】
図１には本願の実施例に係るマルチビームシステムにおいて制御チャネルの検出範囲を決定する方法を示す。図１に示すように、方法１００は、Ｓ１１０を含む。
Ｓ１１０、ネットワーク機器は端末装置へ構成情報を送信し、前記構成情報は端末装置が前記構成情報に基づいて目標ダウンリンク期間内に制御チャネル検出を行う必要がある時間領域リソースを決定することに用いられ、前記時間領域リソースは複数の時間領域スケジューリングユニットを含む。
【００４０】
本願の実施例のマルチビームシステムにおいて制御チャネルの検出範囲を決定する方法によれば、ネットワーク機器が端末装置へ構成情報を送信することにより、端末装置は構成情報に基づいて制御チャネル検出を行う必要がある時間領域リソースを決定することができる。これにより、マルチビームシステムにおいて端末装置が構成情報に基づいて決定した時間領域リソースにおいて制御チャネル検出を行う必要があるだけであるが、本ビームがないと決定した制御チャネルの時間領域リソース（例えば、他のビーム同期信号又は放送信号の位置する時間領域スケジューリングユニット）について、前記構成情報によって排除することにより、端末がこの部分の時間領域リソースを検出することを避け、それにより端末装置の複雑さと電池の電力消費量を低減することができる。
【００４１】
なお、Ｓ１１０における時間領域スケジューリングユニットはスロット（Ｓｌｏｔ）又はミニスロット（ｍｉｎｉ−ｓｌｏｔ）を指す。
【００４２】
選択肢として、Ｓ１１０では、構成情報は目標ダウンリンク期間内の第１時間領域リソースを示すことに用いられ、第１時間領域リソースは複数の第１サブ時間領域リソースを含み、各第１サブ時間領域リソースには同期信号と放送チャネルが含まれない。
【００４３】
選択肢として、前記複数の第１サブ時間領域リソースが連続するものであり、又は前記複数の第１サブ時間領域リソースのうちの少なくとも２つが連続しないものである。
【００４４】
更に、目標ダウンリンク期間内において第１時間領域リソース以外の時間領域リソースにはいずれも同期信号と放送チャネルが含まれる。つまり、第１時間領域リソースは目標ダウンリンク期間内に同期信号と放送チャネルを含まないすべての時間領域リソースを含む。このような場合、ネットワーク機器はシステム情報によって端末装置へ構成情報を送信することができる。又は、ネットワーク機器は放送チャネルを介して端末装置へ構成情報を送信する。
【００４５】
且つ、いくつかの実施例において、構成情報は開始位置情報、時間領域長情報及び終了位置情報のうちの少なくとも１つを含み、開始位置情報は第１時間領域リソース又は各第１サブ時間領域リソースの開始位置を示すことに用いられ、時間領域長情報は第１時間領域リソース又は各第１サブ時間領域リソースの時間領域長を示すことに用いられ、終了位置情報は端末装置が該終了位置情報に基づいて第１時間領域リソース又は各第１サブ時間領域リソースの終了位置を決定することに用いられる。
【００４６】
選択肢として、一実施例として、終了位置情報はダウンリンクからアップリンクへのスイッチングポイントの時間領域位置を示すことにより前記終了位置を示すことができる。
【００４７】
選択肢として、上記開始位置及び／又は時間領域長及び／又は終了位置はスロット及び／又はミニスロット及び／又はシンボルを単位としてもよい。又は、上記開始位置及び／又は終了位置はある同期信号又は放送チャネルに対する相対位置であってもよいし、サブフレーム又はスロットの境界に対する相対位置であってもよい。上記ダウンリンクからアップリンクへのスイッチングポイントの時間領域位置はスロット及び／又はミニスロット及び／又はシンボルを単位としてもよい。
【００４８】
例えば、ネットワーク機器が３つのビーム（Ｂｅａｍ）によって端末装置へ信号を送信すると仮定し、同期信号（ＳＳ、Ｓｙｎｃｈｒｏｎｉｚａｔｉｏｎ  Ｓｉｇｎａｌ）ブロック（Ｂｌｏｃｋ）１、ＳＳ  Ｂｌｏｃｋ２及びＳＳ  Ｂｌｏｃｋ３がＳＳバースト（Ｂｕｒｓｔ）を構成する。図２に示すように、ＳＳ  ｂｌｏｃｋの前後が純データ時間帯に非接続されてもよく、又は、図３に示すように、ＳＳ  Ｂｌｏｃｋの前後が純データ時間帯に接続される。ネットワーク機器はＳＳ  Ｂｌｏｃｋ２内の物理放送チャネル（ＰＢＣＨ、Ｐｈｙｓｉｃａｌ  Ｂｒｏａｄｃａｓｔ  Ｃｈａｎｎｅｌ）又は物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）におけるシステム情報（ＳＩ、Ｓｙｓｔｅｍ  Ｉｎｆｏｒｍａｔｉｏｎ）によって構成情報を送信し、図２又は図３に示すダウンリンク期間内にどの時間領域リソースにおいてＳＳ  Ｂｌｏｃｋ、すなわちダウンリンク（ＤＬ、Ｄｏｗｎｌｉｎｋ）Ｂｕｒｓｔの範囲を含まないかを示す。具体的に、構成情報がＤＬ  Ｂｕｒｓｔの開始点及び／又は終了点及び／又はダウンリンクからアップリンクへのスイッチングポイントを示し、ダウンリンクからアップリンクへのスイッチングポイントの後でアップリンク伝送を行い、対応するのがアップリンク（ＵＬ、Ｕｐｌｉｎｋ）Ｂｕｒｓｔである。ＤＬ  Ｂｕｒｓｔがダウンリンク期間の終了まで延長するとき、ダウンリンクからアップリンクへのスイッチングポイント位置を示すのがＤＬ  Ｂｕｒｓｔの終了位置を示すことに相当すると理解される。
【００４９】
なお、システム情報によって構成情報を送信することは、一般的にＤＬ  Ｂｕｒｓｔ全体の時間領域範囲、すなわちＳＳ  Ｂｌｏｃｋを含まないすべての時間領域リソースを示す。且つ、システム情報によって構成情報を送信することは、放送方式でＳＳ  Ｂｌｏｃｋを含まない時間領域リソースをビーム全体のすべての端末装置に通知してもよい。しかしながら、システム情報が半静的に更新されるしかできないため、システム情報によって構成情報を送信することは、ＳＳ  Ｂｌｏｃｋを含まない時間領域リソースが半静的に変化するシーン、例えばＳＳ  Ｂｌｏｃｋを含まない時間領域リソースの始点位置が主にＳＳ  Ｂｕｒｓｔの長さに影響されて静的又は半静的に変化するシーンにより適用される。
【００５０】
本願の実施例において、選択肢として、前記目標ダウンリンク期間内において前記第１時間領域リソース以外の時間領域リソースのうちの時間領域リソースの一部には同期信号と放送チャネルが含まれない。つまり、第１時間領域リソースは前記目標ダウンリンク期間内の同期信号と放送チャネルを含まない時間領域リソースの一部を含んでもよい。このような場合、ネットワーク機器が高位レイヤシグナリング（例えば、無線リソース制御（ＲＲＣ、Ｒａｄｉｏ  Ｒｅｓｏｕｒｃｅ  Ｃｏｎｔｒｏｌ）シグナリング）又はダウンリンク制御情報（ＤＣＩ、Ｄｏｗｎｌｉｎｋ  Ｃｏｎｔｒｏｌ  Ｉｎｆｏｒｍａｔｉｏｎ）を介して端末装置へ構成情報を送信する。又は、ネットワーク機器がダウンリンク制御チャネル又はダウンリンクデータチャネルを介して端末装置へ構成情報を送信する。
【００５１】
なお、第１時間領域リソースが前記目標ダウンリンク期間内の同期信号と放送チャネルを含まない時間領域リソースの一部を含む場合、セル全体に対して、構成情報を受信していない端末装置が制御チャネル検出を行う時間領域リソースは目標ダウンリンク期間内に同期信号と放送チャネルを含まないすべての時間領域リソースであるが、構成情報を受信した端末装置が制御チャネル検出を行う時間領域リソースは構成情報で示す該第１時間領域リソースである。
【００５２】
例えば、ネットワーク機器が３つのＢｅａｍによって端末装置へ信号を送信すると仮定し、ＳＳ  Ｂｌｏｃｋ１、ＳＳ  Ｂｌｏｃｋ２及びＳＳ  Ｂｌｏｃｋ３がＳＳ  Ｂｕｒｓｔを構成する。図４に示すように、ＳＳ  ｂｌｏｃｋの前後が純データ時間帯に非接続されてもよく、又は、図５に示すように、ＳＳ  Ｂｌｏｃｋの前後が純データ時間帯に接続される。ネットワーク機器はＤＣＩによって構成情報を送信し、ＤＬ  Ｂｕｒｓｔ全体の時間領域範囲を示してもよいし、ＤＬ  Ｂｕｒｓｔの範囲の一部を示してもよい。ネットワーク機器がＤＣＩによって構成情報を送信することは、ユニキャスト方式でＳＳ  Ｂｌｏｃｋを含まない時間領域リソースをある特定の端末装置に通知することにより、該特定の端末装置が構成情報で示す時間領域リソースにおいて制御チャネル検出を行ってもよいと理解される。且つ、ＤＣＩが動的に更新されてもよいため、ＤＣＩによって構成情報を送信する方法は、ＳＳ  Ｂｌｏｃｋを含まない時間領域リソースが動的に変化するシーン、例えばＳＳ  Ｂｌｏｃｋを含まない時間領域リソースの終了点位置又はダウンリンクからアップリンクへのスイッチングポイント位置が変化するシーンにより適用される。
【００５３】
又は、ネットワーク機器が３つのＢｅａｍによって端末装置へ信号を送信すると仮定し、ＳＳ  Ｂｌｏｃｋ１、ＳＳ  Ｂｌｏｃｋ２及びＳＳ  Ｂｌｏｃｋ３がＳＳ  Ｂｕｒｓｔを構成する。図６に示すように、ＳＳ  ｂｌｏｃｋの前後が純データ時間帯に非接続されてもよく、又は、図７に示すように、ＳＳ  Ｂｌｏｃｋの前後が純データ時間帯に接続される。ネットワーク機器がＲＲＣシグナリングを介して構成情報を送信する。ＲＲＣシグナリングによってＤＬ  Ｂｕｒｓｔ全体の時間領域範囲を示してもよいし、ＤＬ  Ｂｕｒｓｔの範囲の一部を示してもよい。同様に、ＲＲＣシグナリングを介して構成情報を送信することは、ユニキャスト方式でＳＳ  Ｂｌｏｃｋを含まない時間領域リソースをある特定の端末装置に通知することにより、該特定の端末装置が構成情報で示す時間領域リソースにおいて制御チャネル検出を行ってもよい。ＳＩによって構成情報を送信する方法と類似に、ＲＲＣシグナリングが半静的に更新されるしかできないため、ＲＲＣシグナリングを介して構成情報を送信する方法は、ＳＳ  Ｂｌｏｃｋを含まない時間領域リソースが半静的に変化するシーン、例えばＳＳ  Ｂｌｏｃｋを含まない時間領域リソースの始点位置が主にＳＳ  Ｂｕｒｓｔの長さに影響されて静的又は半静的に変化するシーンにより適用される。
【００５４】
本願の実施例において、選択肢として、前記開始位置情報を含めるための情報、前記時間領域長情報を含めるための情報及び前記終了位置情報を含めるための情報のうちの少なくとも２つが異なる。つまり、始点位置情報、時間領域長情報及び終了位置情報が異なるタイプの情報によって送信されてもよい。例えば、始点位置情報がＳＩ又はＲＲＣシグナリングによって送信され、時間領域長情報と終点位置情報がＤＣＩによって送信される。
【００５５】
又は、前記開始位置情報を搬送するためのチャネル、前記時間領域長情報を搬送するためのチャネル及び前記終了位置情報を搬送するためのチャネルのうちの少なくとも２つが異なる。つまり、始点位置情報、時間領域長情報及び終了位置情報が異なるチャネルを介して送信されてもよい。
【００５６】
例えば、ネットワーク機器が３つのＢｅａｍによって端末装置へ信号を送信すると仮定し、ＳＳ  Ｂｌｏｃｋ１、ＳＳ  Ｂｌｏｃｋ２及びＳＳ  Ｂｌｏｃｋ３がＳＳ  Ｂｕｒｓｔを構成する。図８に示すように、ＳＳ  ｂｌｏｃｋの前後が純データ時間帯に非接続されてもよく、又は、図９に示すように、ＳＳ  Ｂｌｏｃｋの前後が純データ時間帯に接続される。ネットワーク機器がＳＩ又はＲＲＣシグナリングでＳＳ  Ｂｌｏｃｋを含まない時間領域リソースの始点位置を示し、ＤＣＩでＳＳ  Ｂｌｏｃｋを含まない時間領域リソースの終了位置又はダウンリンクからアップリンクへのスイッチングポイント位置を示す。
【００５７】
選択肢として、Ｓ１１０では、構成情報は目標ダウンリンク期間内の第２時間領域リソースを示すことに用いられ、前記第２時間領域リソースは同期信号と放送チャネルを含む。これにより、端末装置は第２時間領域リソースに基づいて制御チャネル検出を行うための時間領域リソースを決定する。
【００５８】
更に、前記目標ダウンリンク期間内において前記第２時間領域リソース以外の時間領域リソースにはいずれも同期信号と放送チャネルが含まれない。つまり、第２時間領域リソースは前記目標ダウンリンク期間内のすべての同期信号と放送チャネルを含む。
【００５９】
例えば、ネットワーク機器が３つのＢｅａｍによって端末装置へ信号を送信すると仮定し、ＳＳ  Ｂｌｏｃｋ１、ＳＳ  Ｂｌｏｃｋ２及びＳＳ  Ｂｌｏｃｋ３がＳＳ  Ｂｕｒｓｔを構成する。図１０に示すように、ＳＳ  ｂｌｏｃｋの前後が純データ時間帯に非接続されてもよく、又は、図１１に示すように、ＳＳ  Ｂｌｏｃｋの前後が純データ時間帯に接続される。ネットワーク機器がＳＩでＳＳ  Ｂｕｒｓｔを示し、端末装置がＳＳ  Ｂｕｒｓｔの時間領域範囲知った後、ＳＳ  Ｂｌｏｃｋを含まない時間領域リソースの範囲を推定できる。
【００６０】
以上は図１〜図１１を参照しながらネットワーク機器側から本願の実施例に係るマルチビームシステムにおいて制御チャネルの検出範囲を決定する方法を詳しく説明した。以下、図１２を参照しながら端末装置側から本願の実施例に係るマルチビームシステムにおいて制御チャネルの検出範囲を決定する方法を詳しく説明する。端末装置側から説明した端末装置とネットワーク機器とのインタラクションはネットワーク機器側の説明と同様であり、重複を避けるため、関連説明は適宜省略すると理解すべきである。
【００６１】
図１２には本願のさらに他の実施例に係るマルチビームシステムにおいて制御チャネルの検出範囲を決定する方法を示し、図１２に示すように、方法２００は、Ｓ２１０とＳ２２０を含む。
Ｓ２１０、端末装置はネットワーク機器から送信された構成情報を受信し、前記構成情報は前記端末装置が前記構成情報に基づいて目標ダウンリンク期間内に制御チャネル検出を行う必要がある時間領域リソースを決定することに用いられる。
２２０、前記端末装置は前記構成情報に基づいて目標ダウンリンク期間内に制御チャネル検出を行う必要がある時間領域リソースを決定し、前記時間領域リソースは複数の時間領域スケジューリングユニットを含む。
【００６２】
本願の実施例のマルチビームシステムにおいて制御チャネルの検出範囲を決定する方法によれば、端末装置はネットワーク機器から送信された構成情報を受信して、構成情報に基づいて制御チャネル検出を行う必要がある時間領域リソースを決定する。これにより、マルチビームシステムにおいて端末装置が構成情報に基づいて決定した時間領域リソースにおいて制御チャネル検出を行う必要があるだけであるが、本ビームがないと決定した制御チャネルの時間領域リソース（例えば、他のビーム同期信号又は放送信号の位置する時間領域スケジューリングユニット）について、前記構成情報によって排除することにより、端末がこの部分の時間領域リソースを検出することを避け、それにより端末装置の複雑さと電池の電力消費量を低減することができる。
【００６３】
本願の実施例において、選択肢として、前記構成情報は前記目標ダウンリンク期間内の第１時間領域リソースを示すことに用いられ、前記第１時間領域リソースは複数の第１サブ時間領域リソースを含み、各第１サブ時間領域リソースには同期信号と放送チャネルが含まれない。
Ｓ２２０は、具体的に、
前記端末装置が前記第１時間領域リソースを制御チャネル検出を行う必要がある時間領域リソースとして決定する。
【００６４】
本願の実施例において、選択肢として、前記目標ダウンリンク期間内において前記第１時間領域リソース以外の時間領域リソースにはいずれも同期信号と放送チャネルが含まれる。
前記Ｓ２１０は、具体的に、
前記端末装置が前記ネットワーク機器から送信された、前記構成情報を含むシステム情報を受信し、又は、
前記端末装置が前記ネットワーク機器が放送チャネルを介して送信した前記構成情報を受信する。
【００６５】
本願の実施例において、選択肢として、前記目標ダウンリンク期間内において前記第１時間領域リソース以外の時間領域リソースのうちの時間領域リソースの一部には同期信号と放送チャネルが含まれない。
前記Ｓ２１０は、具体的に、
前記端末装置が前記ネットワーク機器から送信された、前記構成情報を含む高位レイヤシグナリングを受信し、又は、
前記端末装置が前記ネットワーク機器から送信された、前記構成情報を含むダウンリンク制御情報ＤＣＩを受信し、又は、
前記端末装置が前記ネットワーク機器がダウンリンク制御チャネル又はダウンリンクデータチャネルを介して送信した前記構成情報を受信する。
【００６６】
本願の実施例において、選択肢として、前記複数の第１サブ時間領域リソースが連続するものであり、又は前記複数の第１サブ時間領域リソースのうちの少なくとも２つが連続しないものである。
【００６７】
本願の実施例において、選択肢として、前記構成情報は開始位置情報、時間領域長情報及び終了位置情報のうちの少なくとも１つを含み、前記開始位置情報は前記第１時間領域リソース又は各第１サブ時間領域リソースの開始位置を示すことに用いられ、前記時間領域長情報は前記第１時間領域リソース又は各第１サブ時間領域リソースの時間領域長を示すことに用いられ、前記終了位置情報は前記端末装置が前記終了位置情報に基づいて前記第１時間領域リソース又は各第１サブ時間領域リソースの終了位置を決定することに用いられる。
【００６８】
本願の実施例において、選択肢として、前記終了位置情報はダウンリンクからアップリンクへのスイッチングポイントの時間領域位置を示すことにより前記終了位置を示し、前記方法２００は、更に、
前記端末装置が前記ダウンリンクからアップリンクへのスイッチングポイントの時間領域位置を前記第１時間領域リソースの終了位置として決定することを含む。
【００６９】
本願の実施例において、選択肢として、前記開始位置情報を含めるための情報、前記時間領域長情報を含めるための情報及び前記終了位置情報を含めるための情報のうちの少なくとも２つが異なり、又は、
前記開始位置情報を搬送するためのチャネル、前記時間領域長情報を搬送するためのチャネル及び前記終了位置情報を搬送するためのチャネルのうちの少なくとも２つが異なる。
【００７０】
本願の実施例において、選択肢として、前記構成情報は前記目標ダウンリンク期間内の第２時間領域リソースを示すことに用いられ、前記第２時間領域リソースには同期信号と放送チャネルが含まれる。
前記Ｓ２２０は、具体的に、
前記端末装置が前記目標ダウンリンク期間内において前記第２時間領域リソース以外の時間領域リソースを制御チャネル検出を行う必要がある時間領域リソースとして決定する。
【００７１】
本願の実施例において、選択肢として、前記目標ダウンリンク期間内において前記第２時間領域リソース以外の時間領域リソースにはいずれも同期信号と放送チャネルが含まれない。
【００７２】
以上は図１〜図１２を参照しながら本願の実施例に係るマルチビームシステムにおいて制御チャネルの検出範囲を決定する方法を詳しく説明したが、以下に図１３を参照しながら本願の実施例に係るネットワーク機器を詳しく説明し、図１３に示すように、ネットワーク機器１０は、
構成情報を生成し、前記構成情報は端末装置が前記構成情報に基づいて目標ダウンリンク期間内に制御チャネル検出を行う必要がある時間領域リソースを決定することに用いられ、前記時間領域リソースは複数の時間領域スケジューリングユニットを含む処理モジュール１１と、
端末装置へ前記構成情報を送信するための送受信モジュール１２と、を備える。
【００７３】
本願の実施例に係るネットワーク機器が端末装置へ構成情報を送信することにより、端末装置は構成情報に基づいて制御チャネル検出を行う必要がある時間領域リソースを決定することができる。これにより、マルチビームシステムにおいて端末装置が構成情報に基づいて決定した時間領域リソースにおいて制御チャネル検出を行う必要があるだけであるが、本ビームがないと決定した制御チャネルの時間領域リソース（例えば、他のビーム同期信号又は放送信号の位置する時間領域スケジューリングユニット）について、前記構成情報によって排除することにより、端末がこの部分の時間領域リソースを検出することを避け、それにより端末装置の複雑さと電池の電力消費量を低減することができる。
【００７４】
本願の実施例において、選択肢として、前記構成情報は前記目標ダウンリンク期間内の第１時間領域リソースを示すことに用いられ、前記第１時間領域リソースは複数の第１サブ時間領域リソースを含み、各第１サブ時間領域リソースには同期信号と放送チャネルが含まれない。
【００７５】
本願の実施例において、選択肢として、前記目標ダウンリンク期間内において前記第１時間領域リソース以外の時間領域リソースにはいずれも同期信号と放送チャネルが含まれる。
前記送受信モジュール１２は、具体的に、前記端末装置へ前記構成情報を含むシステム情報を送信し、又は、放送チャネルを介して前記端末装置へ前記構成情報を送信することに用いられる。
【００７６】
本願の実施例において、選択肢として、前記目標ダウンリンク期間内において前記第１時間領域リソース以外の時間領域リソースのうちの時間領域リソースの一部には同期信号と放送チャネルが含まれない。
前記送受信モジュール１２は、具体的に、
前記端末装置へ前記構成情報を含む高位レイヤシグナリングを送信し、又は、
前記端末装置へ前記構成情報を含むダウンリンク制御情報ＤＣＩを送信し、又は、
ダウンリンク制御チャネル又はダウンリンクデータチャネルを介して前記端末装置へ前記構成情報を送信することに用いられる。
【００７７】
本願の実施例において、選択肢として、前記複数の第１サブ時間領域リソースが連続するものであり、又は前記複数の第１サブ時間領域リソースのうちの少なくとも２つが連続しないものである。
【００７８】
本願の実施例において、選択肢として、前記構成情報は開始位置情報、時間領域長情報及び終了位置情報のうちの少なくとも１つを含み、前記開始位置情報は前記第１時間領域リソース又は各第１サブ時間領域リソースの開始位置を示すことに用いられ、前記時間領域長情報は前記第１時間領域リソース又は各第１サブ時間領域リソースの時間領域長を示すことに用いられ、前記終了位置情報は前記端末装置が前記終了位置情報に基づいて前記第１時間領域リソース又は各第１サブ時間領域リソースの終了位置を決定することに用いられる。
【００７９】
本願の実施例において、選択肢として、前記終了位置情報はダウンリンクからアップリンクへのスイッチングポイントの時間領域位置を示すことにより前記終了位置を示す。
【００８０】
本願の実施例において、選択肢として、前記開始位置情報を含めるための情報、前記時間領域長情報を含めるための情報及び前記終了位置情報を含めるための情報のうちの少なくとも２つが異なり、又は、
前記開始位置情報を搬送するためのチャネル、前記時間領域長情報を搬送するためのチャネル及び前記終了位置情報を搬送するためのチャネルのうちの少なくとも２つが異なる。
【００８１】
本願の実施例において、選択肢として、前記構成情報は前記目標ダウンリンク期間内の第２時間領域リソースを示すことに用いられ、前記第２時間領域リソースには同期信号と放送チャネルが含まれる。
【００８２】
本願の実施例において、選択肢として、前記目標ダウンリンク期間内において前記第２時間領域リソース以外の時間領域リソースにはいずれも同期信号と放送チャネルが含まれない。
【００８３】
本願の実施例に係るネットワーク機器は本願の実施例に対応する方法１００のプロセスを参照してもよく、且つ、該ネットワーク機器における各ユニット／モジュール及び上記他の操作及び／又は機能はそれぞれ方法１００における対応プロセスを実現するためのものであり、簡潔のため、ここで詳細な説明は省略する。
【００８４】
図１４には本願の実施例に係る端末装置を示し、図１４に示すように、端末装置２０は、
ネットワーク機器から送信された構成情報を受信し、前記構成情報は前記端末装置が前記構成情報に基づいて目標ダウンリンク期間内に制御チャネル検出を行う必要がある時間領域リソースを決定することに用いられる送受信モジュール２１と、
前記構成情報に基づいて目標ダウンリンク期間内に制御チャネル検出を行う必要がある時間領域リソースを決定し、前記時間領域リソースは複数の時間領域スケジューリングユニットを含む処理モジュール２２と、を備える。
【００８５】
本願の実施例に係る端末装置はネットワーク機器から送信された構成情報を受信して、構成情報に基づいて制御チャネル検出を行う必要がある時間領域リソースを決定する。これにより、マルチビームシステムにおいて端末装置が構成情報に基づいて決定した時間領域リソースにおいて制御チャネル検出を行う必要があるだけであるが、本ビームがないと決定した制御チャネルの時間領域リソース（例えば、他のビーム同期信号又は放送信号の位置する時間領域スケジューリングユニット）について、前記構成情報によって排除することにより、端末がこの部分の時間領域リソースを検出することを避け、それにより端末装置の複雑さと電池の電力消費量を低減することができる。
【００８６】
本願の実施例において、選択肢として、前記構成情報は前記目標ダウンリンク期間内の第１時間領域リソースを示すことに用いられ、前記第１時間領域リソースは複数の第１サブ時間領域リソースを含み、各第１サブ時間領域リソースには同期信号と放送チャネルが含まれない。
前記処理モジュール２２は、具体的に、
前記第１時間領域リソースを制御チャネル検出を行う必要がある時間領域リソースとして決定することに用いられる。
【００８７】
本願の実施例において、選択肢として、前記目標ダウンリンク期間内において前記第１時間領域リソース以外の時間領域リソースにはいずれも同期信号と放送チャネルが含まれる。
前記送受信モジュール２１は、具体的に、
前記ネットワーク機器から送信された、前記構成情報を含むシステム情報を受信し、又は、
前記ネットワーク機器が放送チャネルを介して送信した前記構成情報を受信することに用いられる。
【００８８】
本願の実施例において、選択肢として、前記目標ダウンリンク期間内において前記第１時間領域リソース以外の時間領域リソースのうちの時間領域リソースの一部には同期信号と放送チャネルが含まれない。
前記送受信モジュール２１は、具体的に、
前記ネットワーク機器から送信された、前記構成情報を含む高位レイヤシグナリングを受信し、又は、
前記ネットワーク機器から送信された、前記構成情報を含むダウンリンク制御情報ＤＣＩを受信し、又は、
前記ネットワーク機器がダウンリンク制御チャネル又はダウンリンクデータチャネルを介して送信した前記構成情報を受信することに用いられる。
【００８９】
本願の実施例において、選択肢として、前記複数の第１サブ時間領域リソースが連続するものであり、又は前記複数の第１サブ時間領域リソースのうちの少なくとも２つが連続しないものである。
【００９０】
本願の実施例において、選択肢として、前記構成情報は開始位置情報、時間領域長情報及び終了位置情報のうちの少なくとも１つを含み、前記開始位置情報は前記第１時間領域リソース又は各第１サブ時間領域リソースの開始位置を示すことに用いられ、前記時間領域長情報は前記第１時間領域リソース又は各第１サブ時間領域リソースの時間領域長を示すことに用いられ、前記終了位置情報は前記端末装置が前記終了位置情報に基づいて前記第１時間領域リソース又は各第１サブ時間領域リソースの終了位置を決定することに用いられる。
【００９１】
本願の実施例において、選択肢として、前記終了位置情報はダウンリンクからアップリンクへのスイッチングポイントの時間領域位置を示すことにより前記終了位置を示し、前記処理モジュール２２は、更に、
前記ダウンリンクからアップリンクへのスイッチングポイントの時間領域位置を前記第１時間領域リソースの終了位置として決定することに用いられる。
【００９２】
本願の実施例において、選択肢として、前記開始位置情報を含めるための情報、前記時間領域長情報を含めるための情報及び前記終了位置情報を含めるための情報のうちの少なくとも２つが異なり、又は、
前記開始位置情報を搬送するためのチャネル、前記時間領域長情報を搬送するためのチャネル及び前記終了位置情報を搬送するためのチャネルのうちの少なくとも２つが異なる。
【００９３】
本願の実施例において、選択肢として、前記構成情報は前記目標ダウンリンク期間内の第２時間領域リソースを示すことに用いられ、前記第２時間領域リソースには同期信号と放送チャネルが含まれる。
前記処理モジュール２２は、具体的に、
前記目標ダウンリンク期間内において前記第２時間領域リソース以外の時間領域リソースを制御チャネル検出を行う必要がある時間領域リソースとして決定することに用いられる。
【００９４】
本願の実施例において、選択肢として、前記目標ダウンリンク期間内において前記第２時間領域リソース以外の時間領域リソースにはいずれも同期信号と放送チャネルが含まれない。
【００９５】
本願の実施例に係る端末装置は本願の実施例に対応する方法２００のプロセスを参照してもよく、且つ、該端末装置における各ユニット／モジュール及び上記他の操作及び／又は機能はそれぞれ方法２００における対応プロセスを実現するためのものであり、簡潔のため、ここで詳細な説明は省略する。
【００９６】
図１５には本願の他の実施例に係るネットワーク機器を示す。図１５に示すように、ネットワーク機器１００はプロセッサ１１０と送受信機１２０を備え、プロセッサ１１０と送受信機１２０が接続され、選択肢として、該ネットワーク機器１００は更にメモリ１３０を備え、メモリ１３０とプロセッサ１１０が接続される。プロセッサ１１０、メモリ１３０及び送受信機１２０が内部接続通路を介して互いに通信できる。プロセッサ１１０は構成情報を生成し、前記構成情報は端末装置が前記構成情報に基づいて目標ダウンリンク期間内に制御チャネル検出を行う必要がある時間領域リソースを決定することに用いられ、前記時間領域リソースは複数の時間領域スケジューリングユニットを含み、送受信機１２０は端末装置へ前記構成情報を送信することに用いられる。
【００９７】
従って、本願の実施例に係るネットワーク機器が端末装置へ構成情報を送信することにより、端末装置は構成情報に基づいて制御チャネル検出を行う必要がある時間領域リソースを決定することができる。これにより、マルチビームシステムにおいて端末装置が構成情報に基づいて決定した時間領域リソースにおいて制御チャネル検出を行う必要があるだけであるが、本ビームがないと決定した制御チャネルの時間領域リソース（例えば、他のビーム同期信号又は放送信号の位置する時間領域スケジューリングユニット）について、前記構成情報によって排除することにより、端末がこの部分の時間領域リソースを検出することを避け、それにより端末装置の複雑さと電池の電力消費量を低減することができる。
【００９８】
本願の実施例に係るネットワーク機器１００は本願の実施例に対応するネットワーク機器１０を参照してもよく、且つ、該ネットワーク機器における各ユニット／モジュール及び上記他の操作及び／又は機能はそれぞれ方法１００における対応プロセスを実現するためのものであり、簡潔のため、ここで詳細な説明は省略する。
【００９９】
図１６には本願の他の実施例に係る端末装置の模式的なブロック図を示し、図１６に示すように、端末装置２００はプロセッサ２１０と送受信機２２０を備え、プロセッサ２１０と送受信機２２０が接続され、選択肢として、前記端末装置２００は更にメモリ２３０を備え、メモリ２３０とプロセッサ２１０が接続される。プロセッサ２１０、メモリ２３０及び送受信機２２０が内部接続通路を介して互いに通信できる。前記送受信機２２０はネットワーク機器から送信された構成情報を受信し、前記構成情報は前記端末装置が前記構成情報に基づいて目標ダウンリンク期間内に制御チャネル検出を行う必要がある時間領域リソースを決定することに用いられることに用いられ、前記プロセッサ２１０は前記構成情報に基づいて目標ダウンリンク期間内に制御チャネル検出を行う必要がある時間領域リソースを決定し、前記時間領域リソースが複数の時間領域スケジューリングユニットを含むことに用いられる。
【０１００】
従って、本願の実施例に係る端末装置がネットワーク機器から送信された構成情報を受信して、構成情報に基づいて制御チャネル検出を行う必要がある時間領域リソースを決定する。これにより、マルチビームシステムにおいて端末装置が構成情報に基づいて決定した時間領域リソースにおいて制御チャネル検出を行う必要があるだけであるが、本ビームがないと決定した制御チャネルの時間領域リソース（例えば、他のビーム同期信号又は放送信号の位置する時間領域スケジューリングユニット）について、前記構成情報によって排除することにより、端末がこの部分の時間領域リソースを検出することを避け、それにより端末装置の複雑さと電池の電力消費量を低減することができる。
【０１０１】
本願の実施例に係る端末装置２００は本願の実施例に対応する端末装置２０を参照してもよく、且つ、該端末装置における各ユニット／モジュール及び上記他の操作及び／又は機能はそれぞれ方法２００における対応プロセスを実現するためのものであり、簡潔のため、ここで詳細な説明は省略する。
【０１０２】
本願の実施例のプロセッサは信号処理能力を有する集積回路チップであってもよいと理解される。上記プロセッサは汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロック図を実現又は実行することができる。汎用プロセッサはマイクロプロセッサであってもよく、又は該プロセッサは更にいかなる通常のプロセッサ等であってもよい。
【０１０３】
本願の実施例のメモリは揮発性メモリ又は不揮発性メモリであってもよく、又は、揮発性及び不揮発性メモリを含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。制限的ではなく、例示的な説明によって、多くのタイプのＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）が利用可能である。本明細書に説明されるシステム及び方法のメモリはこれらのメモリ及び任意の他の適切なタイプのメモリを含んでもよいが、それらに限らないと意図される。
【０１０４】
当業者であれば、本明細書に開示される実施例を参照して説明した各例示的なユニット及びアルゴリズムステップは、電子ハードウェア又はコンピュータソフトウェアと電子ハードウェアの組み合わせで実現できると理解される。これらの機能をハードウェアそれともソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１０５】
当業者であれば、説明を便利さ且つ簡単にするために、上記説明されるシステム、装置及びユニットの具体的な動作過程は、上記方法実施例における対応過程を参照してもよく、ここで詳細な説明は省略すると明確に理解される。
【０１０６】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区分は論理機能上の区分に過ぎず、実際に実現するとき、他の区分方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１０７】
分離部材として説明されるユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに分布されてもよい。実際の必要に応じて、その一部又は全部のユニットを選択して本実施例案の目的を実現してもよい。
【０１０８】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１０９】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１１０】
以上の説明は本願の具体的な実施形態に過ぎ、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020516112.tif 000003
【図２】
2020516112.tif 000004
【図３】
2020516112.tif 000005
【図４】
2020516112.tif 000006
【図５】
2020516112.tif 000007
【図６】
2020516112.tif 000008
【図７】
2020516112.tif 000009
【図８】
2020516112.tif 000010
【図９】
2020516112.tif 000011
【図１０】
2020516112.tif 000012
【図１１】
2020516112.tif 000013
【図１２】
2020516112.tif 000014
【図１３】
2020516112.tif 000015
【図１４】
2020516112.tif 000016
【図１５】
2020516112.tif 000017
【図１６】
2020516112.tif 000018
【手続補正書】
【提出日】令和2年3月11日(2020.3.11)
【手続補正１】
【補正対象書類名】明細書
【補正対象項目名】００３１
【補正方法】変更
【補正の内容】
【００３１】
第６態様では、端末装置を提供し、プロセッサ、メモリ及び送受信機を備える。前記プロセッサ、前記メモリ及び前記送受信機が内部接続通路を介して互いに通信し、制御及び／又はデータ信号を伝達し、それにより前記端末装置が上記第２態様又は第２態様の任意の可能な実現方式における方法を実行する。
【手続補正２】
【補正対象書類名】明細書
【補正対象項目名】００３６
【補正方法】変更
【補正の内容】
【００３６】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）システム、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又はマイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇシステム、又は新無線（ＮＲ、Ｎｅｗ  Ｒａｄｉｏ）システムに適用されてもよいと理解すべきである。
【手続補正３】
【補正対象書類名】明細書
【補正対象項目名】００４９
【補正方法】変更
【補正の内容】
【００４９】
なお、システム情報によって構成情報を送信することは、一般的にＤＬ  Ｂｕｒｓｔ全体の時間領域範囲、すなわちＳＳ  Ｂｌｏｃｋを含まないすべての時間領域リソースを示す。且つ、システム情報によって構成情報を送信することは、放送方式でＳＳ  Ｂｌｏｃｋを含まない時間領域リソースをビーム全体のすべての端末装置に通知してもよい。しかしながら、システム情報が半静的に更新されるしかできないため、システム情報によって構成情報を送信することは、ＳＳ  Ｂｌｏｃｋを含まない時間領域リソースが半静的に変化するシーン、例えばＳＳ  Ｂｌｏｃｋを含まない時間領域リソースの開始位置が主にＳＳ  Ｂｕｒｓｔの長さに影響されて静的又は半静的に変化するシーンにより適用される。
【手続補正４】
【補正対象書類名】明細書
【補正対象項目名】００５３
【補正方法】変更
【補正の内容】
【００５３】
又は、ネットワーク機器が３つのＢｅａｍによって端末装置へ信号を送信すると仮定し、ＳＳ  Ｂｌｏｃｋ１、ＳＳ  Ｂｌｏｃｋ２及びＳＳ  Ｂｌｏｃｋ３がＳＳ  Ｂｕｒｓｔを構成する。図６に示すように、ＳＳ  ｂｌｏｃｋの前後が純データ時間帯に非接続されてもよく、又は、図７に示すように、ＳＳ  Ｂｌｏｃｋの前後が純データ時間帯に接続される。ネットワーク機器がＲＲＣシグナリングを介して構成情報を送信する。ＲＲＣシグナリングによってＤＬ  Ｂｕｒｓｔ全体の時間領域範囲を示してもよいし、ＤＬ  Ｂｕｒｓｔの範囲の一部を示してもよい。同様に、ＲＲＣシグナリングを介して構成情報を送信することは、ユニキャスト方式でＳＳ  Ｂｌｏｃｋを含まない時間領域リソースをある特定の端末装置に通知することにより、該特定の端末装置が構成情報で示す時間領域リソースにおいて制御チャネル検出を行ってもよい。ＳＩによって構成情報を送信する方法と類似に、ＲＲＣシグナリングが半静的に更新されるしかできないため、ＲＲＣシグナリングを介して構成情報を送信する方法は、ＳＳ  Ｂｌｏｃｋを含まない時間領域リソースが半静的に変化するシーン、例えばＳＳ  Ｂｌｏｃｋを含まない時間領域リソースの開始位置が主にＳＳ  Ｂｕｒｓｔの長さに影響されて静的又は半静的に変化するシーンにより適用される。
【手続補正５】
【補正対象書類名】明細書
【補正対象項目名】００５４
【補正方法】変更
【補正の内容】
【００５４】
本願の実施例において、選択肢として、前記開始位置情報を含めるための情報、前記時間領域長情報を含めるための情報及び前記終了位置情報を含めるための情報のうちの少なくとも２つが異なる。つまり、開始位置情報、時間領域長情報及び終了位置情報が異なるタイプの情報によって送信されてもよい。例えば、開始位置情報がＳＩ又はＲＲＣシグナリングによって送信され、時間領域長情報と終点位置情報がＤＣＩによって送信される。
【手続補正６】
【補正対象書類名】明細書
【補正対象項目名】００５５
【補正方法】変更
【補正の内容】
【００５５】
又は、前記開始位置情報を搬送するためのチャネル、前記時間領域長情報を搬送するためのチャネル及び前記終了位置情報を搬送するためのチャネルのうちの少なくとも２つが異なる。つまり、開始位置情報、時間領域長情報及び終了位置情報が異なるチャネルを介して送信されてもよい。
【手続補正７】
【補正対象書類名】明細書
【補正対象項目名】００５６
【補正方法】変更
【補正の内容】
【００５６】
例えば、ネットワーク機器が３つのＢｅａｍによって端末装置へ信号を送信すると仮定し、ＳＳ  Ｂｌｏｃｋ１、ＳＳ  Ｂｌｏｃｋ２及びＳＳ  Ｂｌｏｃｋ３がＳＳ  Ｂｕｒｓｔを構成する。図８に示すように、ＳＳ  ｂｌｏｃｋの前後が純データ時間帯に非接続されてもよく、又は、図９に示すように、ＳＳ  Ｂｌｏｃｋの前後が純データ時間帯に接続される。ネットワーク機器がＳＩ又はＲＲＣシグナリングでＳＳ  Ｂｌｏｃｋを含まない時間領域リソースの開始位置を示し、ＤＣＩでＳＳ  Ｂｌｏｃｋを含まない時間領域リソースの終了位置又はダウンリンクからアップリンクへのスイッチングポイント位置を示す。
【手続補正８】
【補正対象書類名】特許請求の範囲
【補正対象項目名】全文
【補正方法】変更
【補正の内容】
【特許請求の範囲】
【請求項１】
マルチビームシステムにおいて制御チャネルの検出範囲を決定する方法であって、
ネットワーク機器は端末装置へ構成情報を送信し、前記構成情報は端末装置が前記構成情報に基づいて目標ダウンリンク期間内に制御チャネル検出を行う必要がある時間領域リソースを決定することに用いられ、前記時間領域リソースは複数の時間領域スケジューリングユニットを含むことを含むことを特徴とするマルチビームシステムにおいて制御チャネルの検出範囲を決定する方法。
【請求項２】
前記構成情報は前記目標ダウンリンク期間内の第１時間領域リソースを示すことに用いられ、前記第１時間領域リソースは複数の第１サブ時間領域リソースを含み、各第１サブ時間領域リソースには同期信号と放送チャネルが含まれないことを特徴とする請求項１に記載の方法。
【請求項３】
前記目標ダウンリンク期間内において第１時間領域リソース以外の時間領域リソースにはいずれも同期信号と放送チャネルが含まれ、
前記ネットワーク機器が端末装置へ構成情報を送信することは、
前記ネットワーク機器が前記端末装置へ前記構成情報を含むシステム情報を送信し、又は、
前記ネットワーク機器が放送チャネルを介して前記端末装置へ前記構成情報を送信することを含むことを特徴とする請求項１又は２に記載の方法。
【請求項４】
前記構成情報は前記目標ダウンリンク期間内の第２時間領域リソースを示すことに用いられ、前記第２時間領域リソースには同期信号と放送チャネルが含まれることを特徴とする請求項１に記載の方法。
【請求項５】
前記目標ダウンリンク期間内において前記第２時間領域リソース以外の時間領域リソースにはいずれも同期信号と放送チャネルが含まれないことを特徴とする請求項４に記載の方法。
【請求項６】
マルチビームシステムにおいて制御チャネルの検出範囲を決定する方法であって、
端末装置はネットワーク機器から送信された構成情報を受信し、前記構成情報は前記端末装置が前記構成情報に基づいて目標ダウンリンク期間内に制御チャネル検出を行う必要がある時間領域リソースを決定することに用いられることと、
前記端末装置は前記構成情報に基づいて目標ダウンリンク期間内に制御チャネル検出を行う必要がある時間領域リソースを決定し、前記時間領域リソースは複数の時間領域スケジューリングユニットを含むことと、を含むことを特徴とするマルチビームシステムにおいて制御チャネルの検出範囲を決定する方法。
【請求項７】
前記構成情報は前記目標ダウンリンク期間内の第１時間領域リソースを示すことに用いられ、前記第１時間領域リソースは複数の第１サブ時間領域リソースを含み、各第１サブ時間領域リソースには同期信号と放送チャネルが含まれず、
前記端末装置が前記構成情報に基づいて目標ダウンリンク期間内に制御チャネル検出を行う必要がある時間領域リソースを決定することは、
前記端末装置が前記第１時間領域リソースを制御チャネル検出を行う必要がある時間領域リソースとして決定することを含むことを特徴とする請求項６に記載の方法。
【請求項８】
前記目標ダウンリンク期間内において第１時間領域リソース以外の時間領域リソースにはいずれも同期信号と放送チャネルが含まれ、
前記端末装置がネットワーク機器から送信された構成情報を受信することは、
前記端末装置が前記ネットワーク機器から送信された、前記構成情報を含むシステム情報を受信し、又は、
前記端末装置が前記ネットワーク機器が放送チャネルを介して送信した前記構成情報を受信することを含むことを特徴とする請求項６又は７に記載の方法。
【請求項９】
前記構成情報は前記目標ダウンリンク期間内の第２時間領域リソースを示すことに用いられ、前記第２時間領域リソースには同期信号と放送チャネルが含まれ、
前記端末装置が前記構成情報に基づいて前記目標ダウンリンク期間内に制御チャネル検出を行う必要がある時間領域リソースを決定することは、
前記端末装置が前記目標ダウンリンク期間内において前記第２時間領域リソース以外の時間領域リソースを制御チャネル検出を行う必要がある時間領域リソースとして決定することを含むことを特徴とする請求項６に記載の方法。
【請求項１０】
前記目標ダウンリンク期間内において前記第２時間領域リソース以外の時間領域リソースにはいずれも同期信号と放送チャネルが含まれないことを特徴とする請求項９に記載の方法。
【請求項１１】
ネットワーク機器であって、
構成情報を生成し、前記構成情報は端末装置が前記構成情報に基づいて目標ダウンリンク期間内に制御チャネル検出を行う必要がある時間領域リソースを決定することに用いられ、前記時間領域リソースは複数の時間領域スケジューリングユニットを含む処理モジュールと、
端末装置へ前記構成情報を送信するための送受信モジュールと、を備えることを特徴とするネットワーク機器。
【請求項１２】
前記構成情報は前記目標ダウンリンク期間内の第１時間領域リソースを示すことに用いられ、前記第１時間領域リソースは複数の第１サブ時間領域リソースを含み、各第１サブ時間領域リソースには同期信号と放送チャネルが含まれないことを特徴とする請求項１１に記載のネットワーク機器。
【請求項１３】
前記目標ダウンリンク期間内において第１時間領域リソース以外の時間領域リソースにはいずれも同期信号と放送チャネルが含まれ、
前記送受信モジュールは、具体的に、
前記端末装置へ前記構成情報を含むシステム情報を送信し、又は、
放送チャネルを介して前記端末装置へ前記構成情報を送信することに用いられることを特徴とする請求項１１又は１２に記載のネットワーク機器。
【請求項１４】
前記構成情報は前記目標ダウンリンク期間内の第２時間領域リソースを示すことに用いられ、前記第２時間領域リソースには同期信号と放送チャネルが含まれることを特徴とする請求項１１に記載のネットワーク機器。
【請求項１５】
前記目標ダウンリンク期間内において前記第２時間領域リソース以外の時間領域リソースにはいずれも同期信号と放送チャネルが含まれないことを特徴とする請求項１４に記載のネットワーク機器。
【請求項１６】
端末装置であって、
ネットワーク機器から送信された構成情報を受信し、前記構成情報は前記端末装置が前記構成情報に基づいて目標ダウンリンク期間内に制御チャネル検出を行う必要がある時間領域リソースを決定することに用いられる送受信モジュールと、
前記構成情報に基づいて目標ダウンリンク期間内に制御チャネル検出を行う必要がある時間領域リソースを決定し、前記時間領域リソースは複数の時間領域スケジューリングユニットを含む処理モジュールと、を備えることを特徴とする端末装置。
【請求項１７】
前記構成情報は前記目標ダウンリンク期間内の第１時間領域リソースを示すことに用いられ、前記第１時間領域リソースは複数の第１サブ時間領域リソースを含み、各第１サブ時間領域リソースには同期信号と放送チャネルが含まれず、
前記処理モジュールは、具体的に、
前記第１時間領域リソースを制御チャネル検出を行う必要がある時間領域リソースとして決定することに用いられることを特徴とする請求項１６に記載の端末装置。
【請求項１８】
前記目標ダウンリンク期間内において第１時間領域リソース以外の時間領域リソースにはいずれも同期信号と放送チャネルが含まれ、
前記送受信モジュールは、具体的に、
前記ネットワーク機器から送信された、前記構成情報を含むシステム情報を受信し、又は、
前記ネットワーク機器が放送チャネルを介して送信した前記構成情報を受信することに用いられることを特徴とする請求項１６又は１７に記載の端末装置。
【請求項１９】
前記構成情報は前記目標ダウンリンク期間内の第２時間領域リソースを示すことに用いられ、前記第２時間領域リソースには同期信号と放送チャネルが含まれ、
前記処理モジュールは、具体的に、
前記目標ダウンリンク期間内において前記第２時間領域リソース以外の時間領域リソースを制御チャネル検出を行う必要がある時間領域リソースとして決定することに用いられることを特徴とする請求項１６に記載の端末装置。
【請求項２０】
前記目標ダウンリンク期間内において前記第２時間領域リソース以外の時間領域リソースにはいずれも同期信号と放送チャネルが含まれないことを特徴とする請求項１９に記載の端末装置。
【国際調査報告】
2020516112.tif 000019
2020516112.tif 000020
2020516112.tif 000021
2020516112.tif 000022